【手続補正書】
【提出日】平成24年2月6日(2012.2.6)
【手続補正１】
【補正対象書類名】特許請求の範囲
【補正対象項目名】請求項８
【補正方法】変更
【補正の内容】
【請求項８】
前記トリムダイ（１１４）は、キャビティ（１６０）を規定するベース板（１５８）に取り付けられており、
前記イジェクトアーム（１９６）の前記水平部分は、当該ベース板（１５８）の当該キャビティ内に配置されている
ことを特徴とする請求項６に記載のプレス機械。
【手続補正２】
【補正対象書類名】明細書
【補正対象項目名】００２２
【補正方法】変更
【補正の内容】
【００２２】
イジェクト装置１１８は、一対の支柱１２０に摺動移動可能に取り付けられた一対のイジェクトアーム１９６を有している。一対の支柱１２０は、トリムパンチ装置１０２から下方に延びている。各イジェクトアーム１９６は、各支柱１２に摺動移動可能に取り付けられた鉛直部材１９８と、ダイベース板１５８の各キャビティ１６０内に配置されてトリムダイ１１４の長手方向中央軸に向かって内方に延びる水平部材１９９と、を有している。図示されている好適な実施の形態は、実際には二つのイジェクトアーム１９６を有しているが、説明及び図示の便宜上、そのうちの一つだけが図示されている。イジェクトアーム１９６の水平部分１９９は、イジェクトピストン２００の底部に係合している。イジェクトピストン２００は、第一ダイ取付板１６４のイジェクト孔１６８と第二ダイ取付板１７０のイジェクト孔１７４とを通って、上方に延びている。イジェクトピストン２００の頂部は、トリムダイ１１４の環状のキャビティ１８２内に延びている。イジェクトピストン２００の上方部分は、イジェクトリング１９３の底面に係合している。イジェクトリング１９３は、トリムダイ１１４の環状のキャビティ１８２内に、摺動移動可能に受容されている。環状のキャビティ１８２内でのイジェクトリング１９３の上向きの移動（運動）は、環状のキャビティ１８２内に配置された環状の肩部１８４がイジェクトリング１９３の環状の肩部１９５に作用する（当たる）ことによって、制限される。イジェクトアーム１９６の鉛直部材１９８が支柱１２０に摺動移動可能に取り付けられているので、イジェクトアーム１９６の移動の鉛直方向範囲は、実質的に、トリムパンチ装置１０２のストローク範囲よりも小さい。例えば、図示された実施の形態において、イジェクトアーム１９６のストローク範囲は、約２０ｍｍであり得る一方、トリムパンチ装置１０２のストローク範囲は、２００ｍｍであり得る。また、イジェクトアーム１９６のストローク範囲は、支柱１２０におけるストッパ１２１の鉛直方向位置を変えることによって、所望の通りに変更され得る。支柱１２０におけるストッパ１２１がより高い位置である場合、イジェクトアーム１９６のストローク範囲がより大きい。
【手続補正３】
【補正対象書類名】明細書
【補正対象項目名】００２４
【補正方法】変更
【補正の内容】
【００２４】
図２Ａ乃至図２Ｆを参照しながら、前述のプレス機械１００を用いて連続に行われるトリミング加工及びピアス加工が説明される。ここでは、図３Ａに示されるような、予め鍛造された直線かさ歯車（straight-beveled gear ）２２０ａに対して、トリミング加工及びピアス加工が行われる。図示されているように、歯車２２０ａは、歯車本体２２４の周囲に配置された環状の歯列２２２を有している。一対の凹部２２７及び２２９が、鍛造加工中に、本体２２４に形成されている。この場合、当該鍛造加工は、凹部２２７及び２２９の間に、余剰の材料２２８を残している。この余剰の材料は、シャフト上に当該歯車を取り付けるための孔２３０（図３Ｂ参照）を形成すべく、取り除かれなければならない。
また、前記鍛造加工は、一般にバリ（フラッシング）と呼ばれるような、歯車本体２２４の外周から外方に延びる余剰の材料をも残している。以下に説明するトリミング加工及びピアス加工によって、バリ（フラッシング）２２６が除去され、孔２３０が形成され、図３Ｂに示されるような歯車２２０ｂが得られる。
【手続補正４】
【補正対象書類名】明細書
【補正対象項目名】００２５
【補正方法】変更
【補正の内容】
【００２５】
図２Ａに示されるように、トリムパンチ装置１０２は、ダイ装置１０４に対して、初期位置として最上端位置にある。図示及び説明の便宜上、ただ一つのイジェクトアーム１９６が図示されて説明される。初期位置（加工開始位置）では、支柱上のストッパ１２１が、イジェクトアーム１９６の鉛直部材１９８に当接（作用）していて、イジェクトアーム１９６もまたその最上端位置にある。イジェクトアーム１９６の水平部材１９９は、イジェクトリング１９３を、トリムダイ１１４の環状のキャビティ１８２内で、イジェクトピストン２００による突き出し力によって、その最上端位置に維持する。
図２Ｂに示されるように、バリ（フラッシング）２２６がトリムダイ１１４の上面１８８の上方に位置決めされ、かつ、ピアスパンチ１９０の頂部１９２が歯車２２０ａの凹部２２７内で上向きに延びる、というように、歯車２２０ａがトリムダイ１１４の環状のキャビティ１８２内に位置決めされる。図示されているように、歯車２２０ａは、ピアスパンチ１９０と歯車２２０ａとの間に小さな間隙が存在する、というようにイジェクトリング１９３上に載置される。もっとも、本発明の別の実施の形態では、歯車２２０ａがピアスパンチ１９０上に支持される、というようにイジェクトリング１９３がトリムダイ１１４内のより下方の位置に保持されてよい。また、前述のように、本発明の別の実施の形態では、円形ではない他の形状、例えば正方形、楕円、三角形、多角形等の形状、である周辺形状に対してトリミング加工が行われてよい。
【手続補正５】
【補正対象書類名】明細書
【補正対象項目名】００２９
【補正方法】変更
【補正の内容】
【００２９】
図２Ｅに示されるように、トリムパンチ装置１０２の下向きの移動は、トリムパンチ１１０の環状のボス部１５０がトリムダイ１１４の環状のキャビティ１８２内を通るようになるまで、継続される。環状のボス部１５０と環状のキャビティ１８２とは、互いに対応し合う形状を有しており、環状のボス部１５０が環状のキャビティ１８２内に入る時に、バリ（フラッシング）２２６が歯車２２０ａの本体部から剪断されるようになっている。
また、トリムダイ１１４の環状のキャビティ１８２内での歯車２２０ａの下向きの移動の継続は、ピアスパンチ１９０が円筒状部分２２８を完全に除去することを可能にし、かつ、当該円筒状部分２２８を、環状のリップ部１５７を通して、トリムパンチ１１０の中央孔１５２内で（相対的に）上方へと強制移動させることを可能にする。また、環状のキャビティ１８２内での歯車２２０ｂ（トリミング加工及びピアス加工は終了している）の更なる下向きの移動により、当該歯車２２０ｂが、イジェクトリング１９３上に至る。
【手続補正６】
【補正対象書類名】明細書
【補正対象項目名】００３０
【補正方法】変更
【補正の内容】
【００３０】
図２Ｆに示されるように、下向きのストロークが終了すると、トリムパンチ装置１０２の上向きのストロークが開始される。上向きの力が、バネ板２０４とこれまで圧縮されてきたコイルバネ２０８とによって、トリムパンチ装置１０２に作用される。トリムパンチ装置１０２が上向きに移動する時、トリムパンチ１１０は、トリムダイ１１４の環状のキャビティ１８２から退避されて、バネ板２０４の中央開口２１０の奥に引っ込む。また、トリムパンチ装置１０２が上向きに移動する時、支柱１２０は、ストッパ１２１がイジェクトアーム１９６の鉛直部材１９８の当接用底面に当接（作用）するまで、イジェクトアーム１９６の鉛直部材１９８内に形成された孔１１９を通って摺動移動する。そして、トリムパンチ装置１０２の上向きの移動の継続が、イジェクトアーム１９６の上向きの移動を引き起こす。イジェクトアーム１９６の水平部分１９９は、イジェクトキャビティ１６０内で上方に移動する。これにより、イジェクトピストン２００が、イジェクト孔１６８及び１７４を通って上向きに押し上げられ、イジェクトリング１９３に上向きの力が作用する。イジェクトリング１９３がトリムダイ１１４の環状のキャビティ１８２内で上向きに移動される時、歯車２２０ｂもまた、ピアスパンチ１９０から離れるまで、上向きに強制移動される。この時、円筒状の中央孔２３０が、すでに歯車２２０ｂに形成されている。図示されている好適な実施の形態では、トリムパンチ装置１０２がその最上端位置に戻された時、歯車２２０ｂはダイ装置１０４上に載った状態となり、取り外しが容易である。当該取り外しは、手動でも、自動の手段によっても、なされ得る。また、バリ（フラッシング）２２６とセンタースクラップ２２８とが、この時に除去される。センタースクラップ２２８がトリムパンチ１１０の中央孔１５２内に残っているなら、その除去のために、第一パンチ取付板１２６に形成されたアクセス用開口１４０とキャビティ１３８とが、トリムパンチ１１０の中央孔１５２へのアクセス（入ること）を可能にする。図３Ｂにおいて最もよく理解されるように、前述の加工によって、歯車２２０ｂが得られる。歯車２２０ｂにおいては、バリ（フラッシング）が除去されていて、円筒状の中央孔２３０が形成されている。
【手続補正７】
【補正対象書類名】明細書
【補正対象項目名】００３２
【補正方法】変更
【補正の内容】
【００３２】
１００  プレス機械
１０２  トリムパンチ装置
１０４  ダイ装置
１０６  ガイド支柱
１０８  対応孔
１０９  ブラケット
１１０  トリムパンチ
１１２  ラム
１１４  トリムダイ
１１６  ベッド
１１８  イジェクト装置
１２０  支柱
１２１  ストッパ
１２４  パンチベース板
１２６  第一パンチ取付板
１２８  第二パンチ取付板
１３０  凹部
１３４  ボス部
１３６  凹部
１３８  キャビティ
１４０  通路（アクセス）用開口
１４２  凹部
１４４  中央開口
１４６  肩部
１５０  環状のボス部
１５２  中央孔
１５４  作用面（当接面）
１５６  環状のリップ部
１５７  環状のリップ部
１５８  ダイのベース板
１６０  キャビティ
１６２  凹部
１６４  第一ダイ取付板
１６６  ボス部
１６７  凹部
１６８  イジェクト孔
１７０  第二ダイ取付板
１７２  環状の凹部
１７４  孔開口（イジェクト孔）
１７６  キャビティ
１７８  第三ダイ取付板
１８０  環状の肩部
１８１  環状開口
１８２  環状のキャビティ
１８３  凹部
１８６  環状のリップ部
１８８  トリムダイの上面
１９０  ピアスパンチ
１９２  頂部
１９３  イジェクトリング
１９４  ベース部
１９６  イジェクトアーム
１９８  鉛直部分（鉛直部材）
１９９  水平部分（水平部材）
２００  イジェクトピストン（ノックアウトピン）
２０２  バネ板装置
２０４  バネ板
２０６  支柱
２０７  ストッパ
２０８  コイルバネ
２１０  中央開口
２２０ａ  直線かさ歯車（トリミング加工及びピアス加工の前）
２２０ｂ  直線かさ歯車（トリミング加工及びピアス加工の後）
２２２  歯列
２２４  歯車本体
２２６  バリ（フラッシング）（余剰の材料）
２２７  凹部
２２８  センタースクラップ（余剰の材料）（材料の円筒状部分）
２２９  凹部
２３０  孔
【手続補正８】
【補正対象書類名】図面
【補正対象項目名】図３Ａ
【補正方法】変更
【補正の内容】
【図３Ａ】
2009255175.tif 000001
【手続補正９】
【補正対象書類名】図面
【補正対象項目名】図３Ｂ
【補正方法】変更
【補正の内容】
【図３Ｂ】
2009255175.tif 000002